(57)【要約】      （修正有）【課題】風向調整具を付けることによってエアコンから吹出す空調風の向きを変えることができ、しかも空調風が吸込み口に向かって逆流することがないエアコン用風向調整具を提供する。【解決手段】本エアコン用風向調整具は、吹出し口９１周辺のエアコン外装９に取り付けられる支持柱２と、支持柱によって吹出し口と並行に支持される短冊形状の羽板３と、支持柱と前記エアコン外装又は前記羽板との間に設けられ、羽板の向きを吹出し口に対して所定の角度で固定する角度調整部５とを設ける。さらに、可撓性がある略四辺形のシートであり、その一辺が吹込み口に近い側の吹出し口９２周辺のエアコン外装と接触し、一辺と対向する他辺が羽板の吹込み口に近い側と接触するように設けられる逆流防止シート４と、を備える。【選択図】図８
0003174256.tif 000002
【実用新案登録請求の範囲】
【請求項１】
空気の吸込み口と吹出し口が備えられたエアコンの該吹出し口からの風向きを調整するエアコン用風向調整具であって、
前記吹出し口周辺のエアコン外装に取り付けられる支持柱と、
前記支持柱によって前記吹出し口と並行に支持される短冊形状の羽板と、
前記支持柱と前記エアコン外装又は前記羽板との間に設けられ、前記羽板の向きを前記吹出し口に対して所定の角度で固定する角度調整部と、
可撓性がある略四辺形のシートであり、その一辺が前記吸込み口に近い側の前記吹出し口周辺の前記エアコン外装と接触し、前記一辺と対向する他辺が前記羽板の前記吸込み口に近い側と接触するように設けられる逆流防止シートと、
を備え、
前記羽板の角度にかかわらず前記逆流防止シートにより前記吹出し口からの風の前記吸込み口への流入を防止することを特徴とするエアコン用風向調整具。
【請求項２】
前記逆流防止シートの前記一辺は、前記エアコン外装に固定されている請求項１記載のエアコン用風向調整具。
【請求項３】
前記逆流防止シートの前記他辺は、前記羽板に固定されている請求項１記載のエアコン用風向調整具。
【請求項４】
前記角度調整部は、軸体と、前記軸体を支持する軸受体とを備え、
前記軸体の長さ方向の一部の外周に複数の凸部が周に沿って形成されており、
前記軸受体の内面には等角に配置された複数の凹部が周に沿って形成されており、
前記軸体の前記凸部が前記軸受体のいずれかの前記凹部と嵌合することにより、前記羽板の向きが前記吹出し口に対して所定の角度で固定される請求項１乃至３のいずれか１項に記載のエアコン用風向調整具。
【請求項５】
前記軸受体と同軸に前記軸体を貫通させて掛止するための切り欠き部が設けられた２以上の支持体を所定の間隔で備え、
前記軸体の前記凸部と前記軸受体の前記凹部とが嵌合していないときは、前記支持体により前記軸体を掛止する請求項４記載のエアコン用風向調整具。
【請求項６】
前記羽板の前記吹出し口と対向する面上に立設されている整流板を更に備える請求項１乃至５のいずれか１項に記載のエアコン用風向調整具。
【考案の詳細な説明】
【技術分野】
【０００１】
本考案は、エアコン（エアコンディショナ、空調装置）の吹出し口から吹き出る空調風の向きを調整するためのエアコン用風向調整具に関する。更に詳しくは、風向調整具を取り付けることによって、空調風が吸込み口等の意図しない方向に逆流することがないエアコン用風向調整具に関する。
【背景技術】
【０００２】
エアコンの吹出し口から吹き出る空調風を必要な方向に変えるための風向調整具が種々検討されている（例えば、特許文献１及び２を参照。）。このような風向調整具は、エアコンの吹出し口周辺に設置されて使用されるものである。
例えば、特許文献１に記載されている風向調整具は、支持アームによって吹出し口から一定の距離を空けて設けられるルーバによって吹出し口からの空調風の向きを必要な方向に整流し、ルーバの先端側から吹き出るように風向きを変えるものである。また、特許文献２に記載されている風向調整具は、吹出し口全体を囲い、任意の場所に開口部を設けることによって、空調風をその開口部のみから開口方向に向けて吹き出させ、吹出し口からの空調風の向きを変えることができる。
【先行技術文献】
【特許文献】
【０００３】
【特許文献１】特開２００４−１３８３６３号公報
【特許文献２】特開２０００−１６１７６１号公報
【考案の概要】
【考案が解決しようとする課題】
【０００４】
しかし、特許文献１に記載された風向調整具は、図１２に示すようにルーバ３とエアコン９の吹出し口９１との間の隙間があるため、空調風８の一部８１がルーバ３の後端側からも吹き出す。この空調風８の一部８１は、天井埋め込み式のエアコン９であると、吹出し口９１の近隣に設けられている空気吸込み口９２まで到達してエアコン９内に再度取り込まれてしまう。このため、温度センサが設けられている吸込み口９２周辺の温度が設定温度に近い温度になってしまい、室内温度が設定温度より高くてもエアコンが設定温度通りに動作しないこととなる。
一方、特許文献２に記載された風向調整具では、必要な吹き出し方向以外は全て覆うことができるため、吸込み口側に空調風が送られることがない。しかし、風向調整具が吹出し口全体を覆うことができる形状とする必要がある。また、風向調整具による吹き出し方向が開口部の方向に限定され、風向きの調整を容易に行うことができないという問題もある。
【０００５】
本考案は、上記のような問題に鑑み、風向調整具を付けることによってエアコンから吹き出す空調風の向きを変えることができ、しかも空調風が吸込み口に向かって逆流することがないエアコン用風向調整具を提供することを目的とする。
【課題を解決するための手段】
【０００６】
本考案は、以下の通りである。
１．空気の吸込み口と吹出し口が備えられたエアコンの該吹出し口からの風向きを調整するエアコン用風向調整具であって、前記吹出し口周辺のエアコン外装に取り付けられる支持柱と、前記支持柱によって前記吹出し口と並行に支持される短冊形状の羽板と、前記支持柱と前記エアコン外装又は前記羽板との間に設けられ、前記羽板の向きを前記吹出し口に対して所定の角度で固定する角度調整部と、可撓性がある略四辺形のシートであり、その一辺が前記吸込み口に近い側の前記吹出し口周辺の前記エアコン外装と接触し、前記一辺と対向する他辺が前記羽板の前記吸込み口に近い側と接触するように設けられる逆流防止シートと、を備え、
前記羽板の角度にかかわらず前記逆流防止シートにより前記吹出し口からの風の前記吸込み口への流入を防止することを特徴とするエアコン用風向調整具。
２．前記逆流防止シートの前記一辺は、前記エアコン外装に固定されている前記１．記載のエアコン用風向調整具。
３．前記逆流防止シートの前記他辺は、前記羽板に固定されている前記１．記載のエアコン用風向調整具。
４．前記角度調整部は、軸体と、前記軸体を支持する軸受体とを備え、前記軸体の長さ方向の一部の外周に複数の凸部が周に沿って形成されており、前記軸受体の内面には等角に配置された複数の凹部が周に沿って形成されており、前記軸体の前記凸部が前記軸受体のいずれかの前記凹部と嵌合することにより、前記羽板の向きが前記吹出し口に対して所定の角度で固定される前記１．乃至前記３．のいずれかに記載のエアコン用風向調整具。
５．前記軸受体と同軸に前記軸体を貫通させて掛止するための切り欠き部が設けられた２以上の支持体を所定の間隔で備え、前記軸体の前記凸部と前記軸受体の前記凹部とが嵌合していないときは、前記支持体により前記軸体を掛止する前記４．記載のエアコン用風向調整具。
６．前記羽板の前記吹出し口と対向する面上に立設されている整流板を更に備える前記１．乃至前記５．のいずれかに記載のエアコン用風向調整具。
【考案の効果】
【０００７】
本考案のエアコン用風向調整具によれば、吹出し口周辺のエアコン外装に取り付けられる支持柱と、支持柱によって吹出し口と並行に支持される短冊形状の羽板と、支持柱とエアコン外装又は前記羽板との間に設けられ、羽板の向きを吹出し口に対して所定の角度で固定する角度調整部とを備えるため、エアコンの吹出し口から吹き出す空調風の向きを容易に変えることができる。そして、可撓性がある略四辺形のシートであり、その一辺が吸込み口に近い側の吹出し口周辺のエアコン外装と接触し、前記一辺と対向する他辺が羽板の吸込み口に近い側と接触するように設けられる逆流防止シートを備えるため、エアコンの吹出し口から吹き出した空調風が吸込み口に向かって流れることを防止することができる。
特に、空気の吸込み口と吹出し口との距離が短い天井埋め込み式のエアコン等においては、漏れた空調風が吸込み口から取り込まれることにより室温が誤って計測されることがないため、設定温度に従ってエアコンを作動させることができる。また、逆流防止シートは可撓性があるため、羽板の向きが変えてもそれに従って変形して羽板の角度を調整する妨げにならず、吸込み口側に隙間が生じることもない。
【０００８】
前記逆流防止シートの前記一辺がエアコン外装に固定されている場合には、逆流防止シートの一辺部をエアコンの外装に貼り付ける等して、逆流防止シートを容易に取り付けることができる。また、逆流防止シートの他辺は羽板と固定されていないため、羽板と外装との位置関係の柔軟性を高めることができる。
また、逆流防止シートの前記他辺が羽板に固定されている場合には、羽板に逆流防止シートを貼り付ける等して一体化することができる。また、逆流防止シートの前記一辺はエアコン外装と固定されていないため、羽板と外装との位置関係の柔軟性を高めることができ、エアコン用風向調整具の設置を容易にすることができる。
【０００９】
前記角度調整部は、軸体と、前記軸体を支持する軸受体とを備え、軸体の長さ方向の一部の外周に複数の凸部が周に沿って形成されており、軸受体の内面には等角に配置された複数の凹部が周に沿って形成されており、軸体の凸部が軸受体のいずれかの凹部と嵌合することにより、羽板の向きが前記吹出し口に対して所定の角度で固定される場合には、羽板の向きを任意の角度に調整した後に軸体と軸受体とを嵌合させて角度を固定することができるため、羽板の向きの調整を容易にすることができる。また、羽板の向きが嵌合により固定されるため、ネジ止め式のようにネジの締め具合で固定の程度が変化することなく、常に強固に固定することができ、使用中に固定が緩んで羽板が垂れ下がることもない。
また、前記軸受体と同軸に前記軸体を貫通させて掛止するための切り欠き部が設けられた２以上の支持体を所定の間隔で備え、軸体の凸部と軸受体の凹部とが嵌合していないときは、支持体により軸体が軸受体と同心に掛止されるため、羽板の向きの調整作業を行い易く、羽板の落下を防止することができる。使用者は、羽板の向きを所望の角度に調整した後に、軸体と軸受体とを嵌合させて固定することができるため、調整作業の負担が軽減されると共に、調整作業を安全にすることができる。
更に、前記羽板の前記吹出し口と対向する面上に立設されている整流板を備える場合には、整流板によって空調風の向きを変えることができ、その向きを変えても、逆流防止シートにより、空調風がエアコンの吸込み口等に流れることがない。
【図面の簡単な説明】
【００１０】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】エアコン用風向調整具の外観を示す斜視図である。
【図２】エアコン用風向調整具を説明するための側面図である。
【図３】エアコン用風向調整具の構造を説明するための断面図である（角度調整部において軸体と軸受体とが嵌合している状態）。
【図４】エアコン用風向調整具の構造を説明するための断面図である（角度調整部において軸体と軸受体との嵌合が外れている状態）。
【図５】エアコン用風向調整具の角度調整部を説明するために軸体部分を拡大した斜視図である。
【図６】エアコン用風向調整具の角度調整部を説明するために軸受体部分を拡大した側面図である。
【図７】エアコン用風向調整具の支持体を説明するために支持体部分を拡大した（ａ）側面図及び（ｂ）斜視図である。
【図８】エアコン用風向調整具を天井埋め込み式エアコンの外装に取り付けた状態を示す斜視図である。
【図９】エアコン用風向調整具に整流板を配設した状態、及び角度調整部を羽板側に設けた状態を説明するための斜視図である。
【図１０】エアコン用風向調整具による空調風の流れを説明するための模式断面図である（逆流防止シートを羽板に固定した場合）。
【図１１】エアコン用風向調整具による空調風の流れを説明するための模式断面図である（逆流防止シートをエアコン外装に固定した場合）。
【図１２】従来のエアコン用風向調整具による空調風の流れを説明するための模式断面図である。
【考案を実施するための形態】
【００１１】
以下、図１〜１２を参照しながら本エアコン用風向調整具を詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１２】
各種エアコンには、室内の空気を取り込む吸込み口と、室内に空調風を送り出す吹出し口が備えられている。通常、吹出し口にはルーバが備えられており、それによって空調風の風向きを調整可能になっている。しかし、使用環境や使用者毎の感覚の違いにより、吹出し口からの空調風を人が直接受けないようにする等、更に風向の調整を要する場合も多い。
本考案のエアコン用風向調整具１は、エアコンの空調風の吹出し口周辺に取り付けて使用される風向調整具であり、図１及び図２に例示するように、支持柱２と、羽板３と、逆流防止シート４と、を備えている。羽板３は、その向きを吹出し口に対して所定の角度で調整可能であり、支持柱２を介してエアコンの吹出し口近傍に取り付けられる。
【００１３】
エアコン用風向調整具１を取り付けるエアコンの室内機の形態は任意に選択することができる。例えば、図８に示すような底面に吸込み口９２及び吹出し口９１が設けられている天井埋め込み型が挙げられる。この吹出し口が側面に設けられているものもある。また、正面や上面に吸込み口、正面下方に吹出し口が設けられている壁面設置形、正面に吸込み口及び吹出し口が設けられている床置き型等がある。更に、本エアコン用風向調整具は、室外機がないエアコンにも用いることができる。
【００１４】
エアコン用風向調整具１を構成する部材の材質は特に問わず、樹脂、金属等の任意の材質を用いることができる。
エアコン用風向調整具１の支持柱２は、羽板３がエアコンの吹出し口に対して一定の間隔で並行した状態で固定されるように支持するためのものである。このため、支持柱２は、前記状態を保つことができる位置となる吹出し口周辺のエアコン外装に取り付けられる。支持柱２の形状や寸法は特に問わない。また、支持柱２は１つであってもよいし、２以上備えられてもよい。支持柱２をエアコンの外装に取り付ける方法は任意に選択することができる。例えば、粘着テープ等の粘着剤、接着剤、磁石、ネジ等を用いて、支持柱２をエアコンの外装に取り付けることがきる。また、支持柱２は、図８に例示するように基台２１等の部材を介してエアコンの外装に固定されてもよい。
【００１５】
羽板３は、エアコンの吹出し口から吹き出る空調風を必要な向きに変化させるものである。羽板３の大きさ、形状等は特に問わない。例えば、略平坦な短冊形状の板状体であり、エアコンの吹出し口と間隔を空けて並行するように配設することができる。また、羽板３の幅をエアコンの吹出し口の幅より大きくして、吹き出す空調風を漏れなく捉えるようにすることができる。
【００１６】
支持柱２とエアコン外装又は羽板３との間には角度調整部５が設けられる。角度調整部５により、エアコンの吹出し口と平行な軸を中心として吹出し口に対する羽板３の角度を任意に変えることができる。この角度調整部５の構造は、エアコン用風向調整具１を設置するときや風向きを調整するときのみ羽板３の角度調節が可能とし、エアコンの使用中は羽板３を調整した角度に安定して固定できることが好ましい。角度調整部５の構造として、ネジ止め及びバネ止め等、既知の軸受け構造を適宜選択して適用することができる。また、角度調整部５は、支持柱２とエアコン外装との間に設けてもよいし、支持柱２と羽板３との間に設けてもよい。更に、支持柱２と角度調整部５を一体とすることもできる。角度調整部５は１つ設けてもよいし、２つ設けてもよい。２つの支持柱２に対してそれぞれ角度調整部５を備える場合、図３及び４に示すように、一方の角度調整部５のみを用いて固定するようにすることもできる。
角度調整部５を支持柱２に対して１つ設ける場合は、例えば、図１０に示すように、１つの支持柱２とエアコン外装９との間に設けることができる。また、図１１の角度調整部５１１に示すように、支持柱２と羽板３との間に設けることができる。更に、角度調整部５を１つの支持柱２に２つ設ける場合は、図１１の角度調整部５、５１１に例示するように角度調整部の一方５をエアコン９側、他方５１１を羽板３側に配設することで、エアコンの吹出し口９１と羽板３との距離や角度を更に自由に調節することができる。また、この支持柱２に２つの角度調整部５を設ける場合は、同じ軸受け構造を用いてもよいし、図１１の角度調整部５、５１１に例示するように異なる軸受け構造を用いてもよい。
【００１７】
また、図２〜６に示すように、角度調整部５は、軸体５１と、軸体５１を支持する軸受体５３とを備えて構成することができる。そして、軸体５１の長さ方向の一部５２の外周には周に沿って等角に配置される複数の凸部５２１を形成し、軸受体５３の孔５４の内面には周に沿って等角に配置される複数の凹部５４１を形成し、軸体５１の凸部５２１が軸受体５３のいずれかの凹部５４１と嵌合することにより、羽板３の向きを吹出し口に対して所定の角度で固定することができる。
【００１８】
本例では、図５に例示するように軸体５１の長さ方向の端部を多角形（より好ましくは正三角形、正四角形、正六角形）の板状部５２とすることにより、その各角部を凸部５２１としている。板状部５２の中心には、軸体５１がその軸方向が板厚方向になるように固定されている。凸部はこれに限らず、軸体５１の外周面に突起部を設ける等により形成されてもよい。
軸体５１に設けられた凸部５２１は、図６に例示するように軸受体５３のいずれかの凹部５４１と嵌合するように形成されている。すなわち、軸受体５３に設けられた孔５４は、凸部５２１が形成された軸体５１の一部５２が挿入された状態で嵌合することができる大きさであり、孔５４の内周面に沿って内歯車のように凹部５４１が設けられている。図３は、軸体５１の板状部５２が軸受体５３の孔５４に挿入されて嵌合した状態を表わしている。
凸部５２１の数を、凹部５４１の数よりも少なくすれば、嵌合させる箇所を凸部５２１の数だけに絞ることができるため、凹部５４１と同数の時よりも嵌合作業を容易にすることができる。また、羽板３の角度をより細かく調整することができる。
【００１９】
このような角度調整部５は、図４に例示するように、軸受体５３から軸体５１の凸部５２１が設けられている部分を外すことにより嵌合を解くことができる。それによって、羽板３の向きを吹出し口に対して自由な角度に調整できる状態となる。このように角度調整部５における嵌合を解除可能な構造とすると、エアコンの外装に対して支持柱２及び羽板３を回動させて角度を調整し、その後嵌合させることにより、調整した角度に羽板３を固定することができる。
尚、このような角度調整部５は、図７（ｂ）に示すようにエアコン９側に設けてもよいし、図９に示すように羽板３側に設けてもよく、更に両側に設けてもよい。また、図７（ｂ）及び図９では、軸体５１が支持柱２に設けられ、且つ軸受体５３がエアコンの外装９に設けられる基台２１又は羽板３に設けられているがこれに限られず、軸体５１が基台２１又は羽板３に設けられ、且つ軸受体５３が支持柱２に設けられていてもよい。
【００２０】
図４に示すように、凸部５２１が設けられている軸体５１の板状部５２が軸受体５３の孔５４から外され、嵌合が解かれているときは、羽板３の角度が固定されていない。しかし、エアコンが天井等に設置されている場合には、羽板３の角度を調整し、軸体５１と軸受体５３とを嵌合させる作業は、高所で且つ腕を上方に伸ばしているという、不安定で疲れやすい格好で行われることになる。このため、嵌合が解かれている状態で羽板３が落下せず、向きの調整と嵌合が容易であることが好ましい。
そのため、図７及び図９に示すように、軸受体５３と同軸に軸体５１を貫通させて掛止するための切り欠き部６２が設けられた２以上の支持体６を所定の間隔で備えることができる。この支持体６は、軸受体５３の配設先の部材に設けることができる。例えば、図７（ｂ）に示すように軸受体５３が基台２１に設けられていれば、支持体６を基台２１に設けられる。
そして、軸体５１の凸部５２１と軸受体５３の凹部５４１とが嵌合していないときは、支持体６により軸体５１を掛止することができる。軸受体５３の孔５４と、支持体６に設けられた切り欠き部６２に含まれる円形部６１とを、同軸上に位置させることによって、調整及び嵌合作業を容易とすることができる。本例では、切り欠き部６２は、軸体５１を外すことができるように軸体５１が通過可能な幅とし、調整及び嵌合作業を行っているときに軸体５１が通過しない位置（図７における軸受体５３よりも下方側、図９における軸受体５３よりも下方側となる位置）としている。
【００２１】
逆流防止シート４は、図１０及び１１に示すように、エアコンの吹出し口９１から吹き出され羽板３によって風向きが変わった空調風（８、８１）が、エアコンの吸込み口９２側に流れないように遮るためのシートである。逆流防止シート４は、可撓性がある略四辺形のシートとすることができ、その一辺が吸込み口９２に近い側の吹出し口９１周辺のエアコン外装９（通常、吸込み口９２と吹出し口９１との間に位置するエアコン外装９とすることができる。）と接触し、前記一辺と対向する他辺が羽板３の吸込み口９２に近い側と接触するように設けられる。逆流防止シート４は、エアコンの吸込み口９２と吹出し口９１との間に位置し、エアコンの外装９に一端を接触し、羽板３に他端を接触するように配設されるため、この間を通ろうとする空調風を遮断することができる。この逆流防止シート４を備えないと、図１２に示すように、一部の空調風８１が吸込み口９２に流入してしまうこととなる。
【００２２】
逆流防止シート４は、風を遮断することができ可撓性を有する材質であれば特に限定されず、例えば、樹脂、金属、布、紙等を挙げることができる。前記のとおり、本エアコン用風向調整具１では羽板３の向きを変えることができるので、羽板３の一端とエアコンの外装９との距離及び角度が変化する。逆流防止シート４に可撓性の材質を用いることによって、羽板３の向きが変わっても逆流防止シート４が変形し、空調風を遮断することができる。
逆流防止シート４は、羽板３の吸込み口９２に近い一端とエアコンの外装９との間に設けることができればよく、図１０に示すように、逆流防止シート４の両端を、粘着、接着及び挟持等の任意の手段により羽板３の一端４１とエアコンの外装部分４２に固定することができる。また、図１１に示すように、逆流防止シート４をＵ字形状に撓ませ、羽板３の一端４１又はエアコンの外装部分４２に、粘着や接着等の手段により固定することができる。また、逆流防止シート４をＵ字形状に撓ませて、羽板３及びエアコン外装部分４２との間に挟持させ、逆流防止シート４が平坦に復元しようとする弾性によって保持するようにしてもよい。更に、上記のような手段を適宜併用してもよい。
【００２３】
羽板３には、風向きを更に調整するための整流板を設けることができる。図９に例示するように、整流板（７１、７２等）は、羽板３の空調風が吹き付けられる側の面（内面）に立設することができる。整流板７１、７２によって、側面方向の空調風の向きを任意に変えることができる。このような整流板は、嵌合等の方法により、羽板３に取り付けることができる。また、羽板３に孔を設け、整流板７１、７２に前記孔に挿入可能なピンを設けることで、整流板７１、７２のピンを介して羽板３に固定することができ、更にピンの軸を中心に回動可能とすることで、整流板７１、７２の向きを変えて、風向きを変えることができる。
整流板の形状や大きさは特に問わず、平板７１であってもよいし、曲げられている板７２であってもよい。通常、このような整流板を設けると、吹き出す空調風が羽板３上で滞留しやすくなり、エアコンの吸込み口等に流れやすくなるが、本エアコン用風向調整具１は逆流防止シート４を備えているために、エアコンの吸込み口等に流れることを防止することができる。
【００２４】
図８は、エアコン用風向調整具１を天井埋め込み式のエアコン９に取り付けた状態を表わしている。図に示すように、エアコン用風向調整具１は、天井埋め込み式エアコン９の吹出し口９１の周辺に固定される。本例においては、吹出し口９１と吸込み口９２との間に支持柱２が基台２１及び角度調整部５を介して固定されているが、これに限られず、吹出し口９１と外装の周縁との間に支持柱２が設けられてもよい。
本エアコン用風向調整具１では、２本の支持柱２が羽板３の一面側に一定の距離を空けて設けられている。また、羽板３の吸込み口９２に近い長辺の端部と、吹出し口９１と吸込み口９２との間の外装にかけて、逆流防止シート４が湾曲した形で設けられている。
また、支持柱２とエアコン９（図示せず）に設けられる支持柱２の基台２１との間には、軸体５１と軸受体５３を組み合わせた角度調整部５が設けられている。軸体５１は支持柱２に固定され、軸受体５３は基台２１に固定されている。
【００２５】
エアコン用風向調整具１をエアコン９に取り付ける手順を説明する。
（１）各支持柱２の基台２１をエアコン９に両面テープ等の粘着剤によって固定する。このとき、エアコン９に取り付けられるのは、支持柱２の基台２１であり、羽板３及び支持柱２は角度調整部５から分離された状態である。また、逆流防止シート４は、羽板３の一端に接着された状態になっている。
（２）その後、支持体６の切り欠き部６２に軸体５１を挿通し、図４に示すように支持柱２を含む羽板３が支持体６によってエアコン９に掛止された状態にする。この状態の時は、軸体５１の端部５２が軸受体５３の孔５４に嵌め込まれていないため、羽板３の角度を自由に調節することができる。
（３）次いで、軸体５１を軸方向に動かし、軸体５１の端部５２を軸受体５３の孔５４に嵌め込む。この作業は、予め羽板３が支持体６によって基台２１に掛止されているため、羽板３を長手方向に動かすだけで行うことができる。
（４）軸体５１の端部５２を軸受体５３の孔５４に嵌め込んだとき、軸体５１の端部５２に設けられた凸部５２１が孔５４の凹部５４１に噛み合い、図３に示すように羽板３の向きが固定される。
（５）その後、可撓性フィルムからなる逆流防止シート４を湾曲させ、その一端を両面テープ等によりエアコン９又は羽板３に固定する。
【００２６】
このようにして取り付けられたエアコン用風向調整具１は、図１０に示すように、エアコン外装の吹出し口９１と吸込み口９２との間に逆流防止シート４が配設されているため、吹出し口９１から吹き出る空調風が吸込み口９２側に流れることを防止することができる。特に、空気吸込み口９２と吹出し口９１との距離が近い天井埋め込み式のエアコンにおいても、漏れた空調風が吸込み口９２から取り込まれて吸込む空気の温度が変化することがないため、逆流防止シート４が効果的である。
また、この羽板３の角度調整は、エアコン９が配設されている高所で、腕を上方に伸ばしながら行うという、作業しづらい状態で行う必要があるが、羽板３が支持体６によって掛止されているため、羽板３が落下するのを気にすることなく作業を行うことができ、作業性が大きく向上する。
【００２７】
また、軸体５１と軸受体５３との嵌合による接続構造を備えるため、所望の方向に空調風が流れるように羽板３の向きを変え、その向きを嵌合により固定することができるため、ネジ止め式よりも強固に固定でき、使用中の振動等によってネジが緩んで羽板３の向きが変わることもない。
鋭端部の数が、嵌合部の数よりも少ない場合は、嵌合させる箇所を鋭端部の数だけに絞ることができるため、鋭端部の数が、嵌合部の数と同数の時よりも嵌合作業が容易である。
【００２８】
尚、本考案においては、以上に示した実施形態に限られず、目的、用途に応じて本考案の範囲内で種々変更した態様とすることができる。例えば、図１、８に示したエアコン用風向調整具１は、１つの支持柱２に設けられている角度調整部５が１つであるが、これに限られず、図１１に示すように２つの角度調整部５、５１１を設けてもよい。
また、図８に示したエアコン用風向調整具１は、天井埋め込み型のエアコンに設けられているが、これに限られず、壁面設置形及び床置き型等の任意のエアコンに設けて使用することができる。
【符号の説明】
【００２９】
１；エアコン用風向調整具、２；支持柱、２１；基台、３；羽板、４；逆流防止シート、５；角度調整部、５１；軸体、５２；軸体端部（板状部）、５２１；凸部、５３；軸受体、５４；孔、５４１；凹部、６；支持体、６２；切り欠き部、７、７１，７２；整流板、９；エアコン外装、９１；吹出し口、９２；吸込み口。
【図１】
0003174256.tif 000003
【図２】
0003174256.tif 000004
【図３】
0003174256.tif 000005
【図４】
0003174256.tif 000006
【図５】
0003174256.tif 000007
【図６】
0003174256.tif 000008
【図７】
0003174256.tif 000009
【図８】
0003174256.tif 000010
【図９】
0003174256.tif 000011
【図１０】
0003174256.tif 000012
【図１１】
0003174256.tif 000013
【図１２】
0003174256.tif 000014